(57)【要約】【課題】防水された電子機器の外蓋を開くとき、その蓋と本体との隙間に水滴が残留していると本体内部の防水部分に 水滴が漏れてしまうといった問題があった。 蓋と本体の隙間に残留している水滴は、容易に拭き取ることができず、蓋を開く前に水滴を取り除く手段が求められていた。 【解決手段】複数の操作で閉状態から開く防水蓋１で、複数の操作は第１の操作方向Ａで防水蓋１の弾性パッキン９の外側の防水蓋１と本体２の間の隙間に付着した水滴を除去を行い、第２の操作方向Ｂで、防水蓋１の開きを可能とする。水滴を除去は、弾性パッキン９の外側に防水蓋１内部の空気を圧縮して排出させ隙間に付着した水滴を吹き飛ばす。複数の吸排気口を異なる開口形状とし排気と排気のための吸気を別々の開口部で行う。【選択図】図２（ａ）
2015230996.tif 000002
【特許請求の範囲】
【請求項１】
防水性を有する電子機器本体に設けられた開口部を開放する開き位置と水密に閉鎖する閉じ位置との間で移動自在とされた防水蓋を備え、電子機器本体と防水蓋の間で弾性部材を圧縮することにより水密性を確保する蓋において、
前記防水蓋には複数の方向に操作可能な操作部と、前記操作部の第１の操作により前記防水蓋内の空気を前記弾性部材の外側に排出する複数の空気吸排気開口と、前記操作部の第２の操作により、前記防水蓋の前記防水性を有する電子機器本体に対する開き動作のロック、および、ロック解除位置を移動するロック部材を備えたことを特徴とする防水電子機器の蓋構造。
【請求項２】
前記複数の空気吸排気開口は、前記防水蓋内部からの空気の排気を容易とし、前記防水蓋外部からの空気の吸気を困難とした第１の空気吸排気開口と、前記防水蓋外部からの空気の吸気を容易とし、前記防水蓋内部からの空気の排気を困難とした第２の空気吸排気開口からなることを特徴とする請求項１に記載の防水電子機器の蓋構造。
【請求項３】
前記開口部を開閉する前記防水蓋は一端で前記防水性を有する電子機器本体に対して回転軸で回動可能に支持されており、前記第１の空気吸排気開口は前記回転軸から離れた他端側に設けられ、前記第２の空気吸排気開口は、前記回転軸近傍に設けられていることを特徴とする請求項１又は請求項２に記載の防水電子機器の蓋構造。
【請求項４】
前記防水性を有する電子機器本体に形成された前記開口部内には、前記防水性を有する電子機器を駆動するバッテリーの電力供給端子、データ記録可能な前記防水性を有する電子機器のメモリ、前記防水性を有する電子機器から外部機器への電気接続を行うための接続端子のいずれかが配置されていることを特徴とする請求項１乃至請求項３の何れか一項に記載の防水電子機器の蓋構造。
【発明の詳細な説明】
【技術分野】
【０００１】
本発明は、防水電子機器の開口部を閉じることで防水状態とすることができる蓋構造に関するものである。
【背景技術】
【０００２】
電子機器外観部の拭き取りにくい隙間に残った水滴を内部に侵入させないための手段として、従来以下のような方法が提案されている。
【０００３】
開放状態と非開放状態で開閉する蓋部材と本体部材との間に弾性部材を配置し、内側に設けられた電池収納部、記録メディア収納部などの開口部への水の侵入を防ぐ防水蓋構造において、弾性部材の外側に蓋部材の閉じ状態で本体部材との間で圧縮される水滴吸収部材を配置し、蓋部材と外装カバーとの隙間に侵入した水滴を蓋部材の開き動作で圧縮状態から開放される水滴吸収部材で吸収し、蓋部材の閉じ動作で水滴吸収部材を圧縮して水滴吸収部材に吸収された水滴を外部に排出する構造が提案されている（特許文献１参照）。
【先行技術文献】
【特許文献】
【０００４】
【特許文献１】特開２００１−１４４４５９号公報
【発明の概要】
【発明が解決しようとする課題】
【０００５】
しかしながら、上記従来例では、防水蓋の開きで水滴吸収部材に水滴を吸収、防水蓋の閉じで水滴吸収部材から水滴の絞り出しを行うため、絞り出された水滴を吹き飛ばすことはできず水滴吸収部材の回りに留まってしまったり、水滴吸収部材の内側の弾性部材側に絞りだされて外装部材の外部に排出しきれなかったり、防水蓋の回りの限定した範囲を優先して残留した水滴を除去することができないといったことがあった。
【０００６】
本出願に係る第１の発明の目的は、防水蓋と本体との隙間に残留した水滴を除去した後、防水蓋を開くことができるようにすることを目的としている。
【０００７】
本出願に係る第２の発明の目的は、防水蓋からの排気、防水蓋への吸気を限定した部分から行うことによって、防水蓋開き動作時に防水蓋回りに残留する水滴が本体開口部への水滴落下を防止することを目的としている。
【０００８】
本出願に係る第３の発明の目的は、防水電子機器本体に対して回転して開閉する防水蓋を操作することによって、防水蓋の回転軸から離れた先端側の水滴を除去し、防水蓋を開くときに先端側が本体開口部上を通過することによる水滴落下を防止することを目的としている。
【０００９】
本出願に係る第４の発明の目的は、特に開口部内に電子機器を駆動するバッテリーの電力供給端子、データ記録可能な電子機器のメモリ、電子機器から外部機器への電気接続を行うための接続端子のいずれかを配置した電子機器の蓋開閉動作の水滴落下防止を目的としている。
【課題を解決するための手段】
【００１０】
上記目的を達成するため、本発明の第１の発明は、防水性を有する電子機器本体に設けられた開口部を開放する開き位置と水密に閉鎖する閉じ位置との間で移動自在とされた防水蓋を備え、電子機器本体と防水蓋の間で弾性部材を圧縮することにより水密性を確保する蓋において、
前記防水蓋には複数の方向に操作可能な操作部と、前記操作部の第１の操作により前記防水蓋内の空気を前記弾性部材の外側に排出する複数の空気吸排気開口と、前記操作部の第２の操作により、前記防水蓋の前記防水性を有する電子機器本体に対する開き動作のロック、および、ロック解除位置を移動するロック部材を備えたことを特徴としている。
【００１１】
本発明の第２の発明は、前記複数の空気吸排気開口は、前記防水蓋内部からの空気の排気を容易とし、前記防水蓋外部からの空気の吸気を困難とした第１の空気吸排気開口と、前記防水蓋外部からの空気の吸気を容易とし、前記防水蓋内部からの空気の排気を困難とした第２の空気吸排気開口からなることを特徴としている。
【００１２】
本発明の第３の発明は、前記開口部を開閉する前記防水蓋は一端で前記防水性を有する電子機器本体に対して回転軸で回動可能に支持されており、前記第１の空気吸排気開口は前記回転軸から離れた他端側に設けられ、前記第２の空気吸排気開口は、前記回転軸近傍に設けられていることを特徴としている。
【００１３】
本発明の第４の発明は、前記防水性を有する電子機器本体に形成された前記開口部内には、前記防水性を有する電子機器を駆動するバッテリーの電力供給端子、データ記録可能な前記防水性を有する電子機器のメモリ、前記防水性を有する電子機器から外部機器への電気接続を行うための接続端子のいずれかが配置されていることを特徴としている。
【発明の効果】
【００１４】
上記構成により、本出願に係る第１の発明によれば、防水蓋を手動で操作を行うことによって、防水蓋と本体との隙間に残留した水滴を除去した後、防水蓋を開くことを可能とする。
【００１５】
本出願に係る第２の発明によれば、防水蓋を手動で操作を行うことによって、防水蓋と本体との隙間に残留した水滴を吹き飛ばす排気と排気後の吸気を異なる位置で行うことで防水蓋と本体との隙間に残留した水滴を効果的に除去した後、防水蓋開き動作時に防水蓋回りに残留する水滴が本体開口部への水滴落下を防止することことを可能とする。
【００１６】
本出願に係る第３の発明によれば、防水蓋を手動で操作を行うことによって、防水蓋を開くとき、本体開口部への水滴落下しないような場所を限定して空気の排気と吸気を行い、防水蓋と本体との隙間に残留した水滴を除去した後、防水蓋開き動作時に防水蓋回りに残留する水滴が本体開口部への水滴落下を防止することを可能とする。
【００１７】
本出願に係る第４の発明によれば、特に開口部内に電子機器を駆動するバッテリーの電力供給端子、データ記録可能な電子機器のメモリ、電子機器から外部機器への電気接続を行うための接続端子のいずれかを配置した電子機器の蓋開閉動作の水滴落下防止を可能とする。
【図面の簡単な説明】
【００１８】
【図１（ａ）】本案第１の実施例の防水蓋を組み込んだ撮影機器の部分斜視図
【図１（ｂ）】本案第１の実施例の防水蓋を組み込んだ撮影機器の部分斜視図
【図２（ａ）】本案第１の実施例の防水蓋の作動順を示した断面図
【図２（ｂ）】本案第１の実施例の防水蓋の作動順を示した断面図
【図２（ｃ）】本案第１の実施例の防水蓋の作動順を示した断面図
【図２（ｄ）】本案第１の実施例の防水蓋の作動順を示した断面図
【図３（ａ）】本案第１の実施例の防水蓋内から吸気、排気される空気の流れを示す断面図
【図３（ｂ）】本案第１の実施例の防水蓋内から吸気、排気される空気の流れを示す断面図
【図３（ｃ）】本案第１の実施例の防水蓋内から吸気、排気される空気の流れを示す断面図
【図４】本案第１の実施例の防水蓋を組み込んだ撮影機器全体斜視図
【図５】本案第１の実施例の防水蓋の内面からみた平面図
【発明を実施するための形態】
【００１９】
＜第１の実施形態＞
図１は本案第１の実施例の防水性を有する撮影機器の部分斜視図で、図１(a)は防水蓋が開いた状態を表す部分斜視図であり、図１(b)は防水蓋が開いた状態を表す部分斜視図の拡大図である。図２は本発明第１の実施例の防水蓋の操作による作動を順に示した断面図で、図２(a)は防水蓋が閉じた状態で本体に対してロックがかかった水密状態を示す図、図２(b)は防水蓋が閉じた状態で防水蓋の操作部を第１の方向に操作した状態を示す図、図２(c)は防水蓋が閉じた状態で防水蓋の操作部を第１の方向に操作した後、続けて第２の操作方向に操作して防水蓋ロック解除された状態を示す図、図２(d)は防水蓋がロック解除された状態から防水蓋の操作部から指を離した状態で、第１の方向は初期方向へ復帰し、第２の方向は移動位置で保持された状態を示す図である。
【００２０】
図３は、防水蓋内から吸気、排気される空気の流れを示す断面図であり、図３(a)は、防水蓋内から排気される空気の流れを示す拡大断面図、図３(b)は、防水蓋内から吸気される空気の流れを示す拡大断面図。
【００２１】
図４は本発明第１の実施例の撮影機器の全体を示す斜視図である。図５は本案第１の実施例の防水蓋の内面を示した図である。
【００２２】
図１〜図５において、１は防水性を有する撮影機器の防水蓋、２は撮影機器の本体、３は防水蓋１を本体２に対して回転可能に支持する防水蓋回転軸、４は防水蓋１に設けられた弾性カバーである。５は弾性カバー４内部に配置されたスリーブ、スリーブ５のスリーブ係合部５ａが弾性カバー４の操作部４ａの内面に設けられた係合リブ４ｂに係合している。６は防水蓋１を本体２に対して閉じた状態で開き禁止するロック部材で、スリーブ５とロック部材６のガイド軸６ａが係合して第１の操作方向Ａに移動可能となっている。７は復帰ばねで、スリーブ５のスリーブ係合部５ａとロック部材６の間に復帰ばね７が配置されることで、図２(b)のように弾性カバー４が第１の操作方向Ａに押し込み操作した後、操作した指を離すと復帰ばね７の復帰力と弾性カバー４の弾性力で初期状態である図２(a)に復帰する。
【００２３】
８は防水蓋１の内側に配置された内カバーである。内カバー８の溝８ａに弾性カバー４の内リブ４ｃが結合され、弾性カバー４の外周部４ｄが、防水蓋１と内カバー８に挟み込まれて結合している。内カバー８の本体２側には開口部２ａがあり、その周囲には防水蓋１の閉じ状態で弾性パッキン９と当接する開口土手部２ｂが形成されている。この開口土手部２ｂとの間で弾性パッキン９がチャージされることで水密性が確保されている。
【００２４】
１０はロック部材６のガイド溝６ｅと係合してロック部材６を第２の操作方向Ｂへ移動可能にするガイド軸で、内カバー８の内側に固定されている。ロック部材６の端部６ｂが本体２の溝２ｃに係合されることで防水蓋１は回転開きを禁止され、開口部２ａの防水状態が維持されている。
【００２５】
１１は開口部２ａ内に装着される電源バッテリーである。１２はロック部材６の端部６ｂが本体２の溝２ｃの係合からはずれた位置で係止する開き係止ばねで、ロック部材の係止溝６ｃに係合することで、ロック部材６の移動を規制する。１３は、ロック部材６の端部６ｂが本体２の溝２ｃに係合した位置で係止する閉じ係止ばねで、ロック部材６の係止溝６ｄに係合することで、防水蓋１を本体２に対して閉じた位置でロック部材６の移動を規制する(不図示)。
【００２６】
１５は、撮影機器の画像表示用ＬＣＤ部、１６は、撮影機器の画像表示用の接眼表示部、１７は、押し操作によって撮影開始、および停止を行うトリガーボタンである。
【００２７】
上記構成において、防水蓋１を閉状態→開可能状態を順を追って説明する。弾性カバー４は、指で操作部４ａを第１の操作方向Ａと第２の操作方向Ｂに操作可能となっており、操作部４ａを第１の操作方向Ａと第２の操作方向Ｂに操作した時の弾性カバー４の変位を吸収する変形吸収部４ｅが設けられている。変形吸収部４ｅの外周には空気室４ｆがあり、図２(b)に示されるように操作部４ａを第１の操作方向Ａへ押し込み操作すると空気室４ｆの容積が縮まって、第１の空気吸排気口４ｇと第２の空気吸排気口４ｈから空気を押しだそうとする。
【００２８】
この時、第１の空気吸排気口４ｇは口元が狭まった形状であるため、排出される空気は圧縮され勢いよく、図３(b)の矢印Ｃのように排出し防水蓋１と本体２の合わせ隙間に残留した水滴１４を隙間外部に吹き飛ばす。しかし、図２(b)に示すように第２の空気吸排気口４ｈ側は、第２の空気吸排気口４ｈの内部側根元にある吸排気弁４ｉが第２の空気吸排気口４ｈに押しだされようとする空気によって矢印Ｄ方向に押され第２の吸排気口４ｈへの空気の流出経路をふさぐため、ほとんど空気は排出されない。
【００２９】
そして、この状態から指を離すと再び図２(a)に戻る。図２(b)の状態から図２(a)の状態に変わる過程で、弾性カバー４内の空気室４ｆは縮まった容積を元に戻そうと弾性カバー４の外部から空気を吸入する。弾性カバー４の空気室４ｆと外部とがつながる経路は、第１の空気吸排気口４ｇと第２の空気吸排気口４ｈであるが、第１の空気吸排気口４ｇは開口先端が狭まった形状をしているため、空気室４ｆ内への空気の流入がしづらく、さらに、流入空気が通過すると第１の空気吸排気口４ｇは狭まった口元から根元側で広がっているため、圧力変化でさらに吸入口が狭まるよう変形するため、ほとんど空気の流入は行われない。
【００３０】
よって、防水蓋１の第１の空気吸排気口４ｇ側の隙間から、外部に吹き飛ばした水滴を再び吸い寄せることはない。第２の空気吸排気口４ｈは開口が広いので空気を取り込みやすく、図３(c)に示すように空気室４ｆからの排出時に経路をふさいでいた吸排気弁４iが吸入空気によって逆に吸入経路を広げるよう変形するため、空気室４ｆ内の容積を戻すための空気の流入は第２の空気吸排気口４ｈから主体で行われ矢印Ｅのように吸入される。
【００３１】
続いて、図２(b)の状態から弾性カバー４の操作部４ａを第１の操作方向Ａへ押したまま第２の操作方向Ｂへ操作すると、弾性カバー４の係合リブ４ｂとスリーブ５のスリーブ係合部５ａ、および、スリーブ５とロック部材６に設けられたガイド軸６ａが係合しているため、ロック部材６が第２の操作方向Ｂへ移動してロック部材６の端部６ｂが本体２の溝２ｃとの係合から外れて図２(c)の状態となる。
【００３２】
この時、弾性カバー４内の変形吸収部４ｅは内カバー８に固定されている側は移動せず弾性カバー４の操作部４ａ側だけ第２の操作方向Ｂへ移動するので、傾斜した状態で形状変形吸収されている。そして、弾性カバー４の操作部４ａから操作している指を離すとロック部材８は係止ばね１２によって係止されているため、第２の操作方向Ｂの移動した位置で保持されているが、弾性カバー４は、復帰ばね７の復帰力と弾性カバー４の弾性力で第１の操作方向Ａとは逆方向に移動する。弾性カバー４内の変形吸収部４ｅは傾斜形状が変わった状態で形状変形吸収されて、図２(d)の状態となっている。
【００３３】
図２(c)の状態から図２(d)の状態に変わる過程で、図２(b)の状態から図２(a)の状態に変わる過程と同様に、空気室４ｆに第２の空気吸排気口４ｈから空気が吸入される。
【００３４】
この状態から、図１のように本体２の開口部２ａを上面に向けて防水蓋回転軸３を中心にして防水蓋１を開く。このとき防水蓋１の先端が開口部２ａ上を通過するが、防水蓋１と本体２の間の隙間の水滴は吹き飛ばされて残留していないので、本体２の開口部２ａ内に水滴が落下する心配はない。
【００３５】
また、第２の空気吸排気口４ｈから圧縮した空気が排出されていないと、防水蓋回転軸３付近に水滴が残留している可能性があるが、防水蓋１を開くとき本体２の開口部２ａを上面に向けて開いても防水蓋１の防水蓋回転軸３側は回転移動軌跡で開口部２ａ上を通過しないので本体２の開口部２ａ内に水滴が落下する心配はない。
【００３６】
防水蓋１を閉じて再びロック部材６によってロックする場合、図２(d)→図２(c)→図２(b) →図２(a)の順に操作を行う。図２(d)の防水蓋１が開き可能な状態から、まず弾性カバー４の操作部４ａを第１の操作方向Ａに押しこみ図２(c)の状態となる。操作部４ａを第１の操作方向Ａに押しこんだまま第２の操作方向Ｂと反対方向に操作することによって、ロック部材６の端部６ｂが再び、本体２の溝２ｃに係合し防水蓋１は本体２に対して回転開きを禁止され、開口部２ａの周囲で弾性パッキン９が圧縮されて水密性が確保された図２(b)の状態となる。
【００３７】
そして、操作部４ａを操作している指を離すと、弾性カバー４内の空気室４ｆは縮まった容積を元に戻そうと弾性カバー４の外部から空気を吸入して、図２(a)の状態に復帰する。
【００３８】
上記実施例により、防水蓋１を開く操作によって圧縮した空気を防水蓋１と本体２との隙間に入り込んだ水滴に吹き付けることにより隙間に水滴を残留させないことを可能とした。これにより防水蓋１を開く動作を行うときに防水蓋１の内側の開口部２ａに残留した水滴が落ち込むことを防ぐことができる。
【００３９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４０】
本発明は、撮影機器以外でも、携帯機器、外部設置機器など、防水された外装機器の開口部分を開放状態と非開放状態に開閉可能な機器について利用可能である。
【符号の説明】
【００４１】
１‥‥防水蓋、２‥‥本体、２ａ‥‥開口部、３‥‥防水蓋回転軸、４‥‥弾性カバー、
５‥‥スリーブ、６‥‥ロック部材、７‥‥復帰ばね、８‥‥内カバー、
９‥‥弾性パッキン
【図１（ａ）】
2015230996.tif 000003
【図１（ｂ）】
2015230996.tif 000004
【図２（ａ）】
2015230996.tif 000005
【図２（ｂ）】
2015230996.tif 000006
【図２（ｃ）】
2015230996.tif 000007
【図２（ｄ）】
2015230996.tif 000008
【図３（ａ）】
2015230996.tif 000009
【図３（ｂ）】
2015230996.tif 000010
【図３（ｃ）】
2015230996.tif 000011
【図４】
2015230996.tif 000012
【図５】
2015230996.tif 000013